(57)【要約】【課題】誤作動防止装置のコンパクト化を図ることが可能な両開き収納装置を提供する。【解決手段】ボックス本体と蓋体とを備える両開き収納装置の開閉機構は、第１回転軸に対応したロッド及び係合孔と、第２回転軸に対応したロッド及び係合孔と、ロッドを係合孔に係合させる第１及び第２付勢部材と、開操作によりロッドを係合解除方向へ変位させる第１及び第２操作部と、第１操作部と第２操作部との開操作が同時に行われるのを防止する誤作動防止装置と、を有する。誤作動防止装置は、ベース部材と、ベース部材に対して第１軸又は第２軸を中心にして回動可能な第１及び第２ストッパと、第１と第２とのストッパ間に介在するスプリング部材と、を有する。各第１及び第２ストッパは、蓋体の閉状態で閉側のストッパの回動規制を行う回動規制部と、蓋体の開状態で開側のストッパの回動した状態で開側のロッドの解除方向への変位を規制する変位規制部と、を有する。【選択図】図１２
2019077404.tif 000002
【特許請求の範囲】
【請求項１】
開口が設けられた収容部を有するボックス本体と、前記開口を開閉可能に覆う蓋体と、それぞれ前記開口の周縁に沿って前後方向に延びる第１回転軸及び第２回転軸のうちから選択した回転軸を中心にして前記蓋体を開閉動作させる開閉機構と、を備える両開き収納装置であって、
前記開閉機構は、
前記第１回転軸に対応して前記蓋体に配置された、前記ボックス本体側に対して係合可能に変位する第１ロッドと、
前記第２回転軸に対応して前記蓋体に配置された、前記ボックス本体側に対して係合可能に変位する第２ロッドと、
前記第１ロッドに対応して前記ボックス本体側に設けられた、前記第１ロッドの先端が係合可能な第１係合孔と、
前記第２ロッドに対応して前記ボックス本体側に設けられた、前記第２ロッドの先端が係合可能な第２係合孔と、
前記第１ロッドを前記第１係合孔に係合させる付勢力を発生する第１付勢部材と、
前記第２ロッドを前記第２係合孔に係合させる付勢力を発生する第２付勢部材と、
開操作により前記第１ロッドを前記第１付勢部材の付勢力に抗して前記第１係合孔との係合が解除される解除方向へ変位させる第１操作部と、
開操作により前記第２ロッドを前記第２付勢部材の付勢力に抗して前記第２係合孔との係合が解除される解除方向へ変位させる第２操作部と、
前記第１操作部への開操作による前記第１ロッドの変位と前記第２操作部への開操作による前記第２ロッドの変位とが同時に行われるのを防止する誤作動防止装置と、
を有し、
前記誤作動防止装置は、
前記蓋体の左右方向中央部に取り付けられたベース部材と、
前記ベース部材に対して左側に配置された、前記ベース部材に対して前後方向に延びる第１軸を中心にして回動可能な第１ストッパと、
前記ベース部材に対して右側に配置された、前記ベース部材に対して前後方向に延びる第２軸を中心にして回動可能な第２ストッパと、
一端が前記第１ストッパに固定されかつ他端が前記第２ストッパに固定された、前記第１ストッパを前記第１軸を中心にして第１回動方向に回動させると共に前記第２ストッパを前記第２軸を中心にして第２回動方向に回動させる付勢力を発生するスプリング部材と、
を有し、
前記第１ストッパは、
前記蓋体が左側開状態にないときに前記ボックス本体に当接することで、前記スプリング部材の付勢力により前記第１ストッパが前記第１回動方向に回動するのを規制する第１回動規制部と、
前記蓋体が左側開状態にあるときに前記スプリング部材の付勢力により前記第１ストッパが前記第１回動方向へ回動した状態で前記第１ロッドの先端面に当接することで、前記第１付勢部材の付勢力に抗して前記第１係合孔に係合する方向への前記第１ロッドの変位を規制する第１変位規制部と、
を有し、
前記第２ストッパは、
前記蓋体が右側開状態にないときに前記ボックス本体に当接することで、前記スプリング部材の付勢力に抗して前記第２回動方向への前記第２ストッパの回動を規制する第２回動規制部と、
前記蓋体が右側開状態にあるときに前記スプリング部材の付勢力により前記第２ストッパが前記第２回動方向へ回動した状態で前記第２ロッドの先端面に当接することで、前記第２付勢部材の付勢力に抗して前記第２係合孔に係合する方向への前記第２ロッドの変位を規制する第２変位規制部と、
を有する、両開き収納装置。
【請求項２】
前記ベース部材と前記第１ストッパと前記第２ストッパと前記スプリング部材とは、ユニット化されている、請求項１に記載された両開き収納装置。
【請求項３】
前記誤作動防止装置は、
前記蓋体に支持軸を中心にして回動可能に支持されたリテーナと、
前記第１ロッド及び前記リテーナの何れか一方に設けられた第１ピンと、
前記第１ロッド及び前記リテーナの何れか他方に設けられた、前記第１ピンが前後方向への相対変位が許容された状態に挿入される第１ピン挿入孔と、
前記第２ロッド及び前記リテーナの何れか一方に設けられた第２ピンと、
前記第２ロッド及び前記リテーナの何れか他方に設けられた、前記第２ピンが前後方向への相対変位が規制されつつ自軸回りの相対回転が許容された状態に挿入される第２ピン挿入孔と、
を有し、
前記リテーナは、前記第２操作部への開操作により前記第２ロッドが前記解除方向へ変位した際に前記支持軸を中心にして回動し、
前記第１ピン挿入孔及び前記第２ピン挿入孔は、前記第１操作部への開操作により前記第１ロッドが前記解除方向へ変位することで前記第１ピンが前記第１ピン挿入孔内の所定位置に位置した場合に、前記第２操作部への開操作による前記第２ロッドの前記解除方向への変位を規制し、また、前記第２操作部への開操作により前記第２ロッドが前記解除方向へ変位することで前記リテーナの回動によって前記第１ピンが前記所定位置に位置した場合に、前記第１操作部への開操作による前記第１ロッドの前記解除方向への変位を規制するように形成されている、請求項１又は２に記載された両開き収納装置。
【請求項４】
前記第１ピン挿入孔は、前記第１ピンが前後方向に前記第１ロッドの変位分だけ相対変位できるように前後方向に延びており、
前記第２ピン挿入孔は、前記第２ピンが前後方向に相対変位できないように前後方向に前記第２ピンの外径分だけ空いている、請求項３に記載された両開き収納装置。
【発明の詳細な説明】
【技術分野】
【０００１】
本発明は、ボックス本体と、そのボックス本体の開口を覆う蓋体と、その蓋体を二つの回転軸それぞれを中心にして開閉動作可能な開閉機構と、を備える両開き収納装置に関する。
【背景技術】
【０００２】
従来、車室内に配置されるコンソールボックスなどの両開き収納装置が知られている（例えば、特許文献１）。両開き収納装置は、ボックス本体と、蓋体と、開閉機構と、を備えている。ボックス本体は、上面に開口が設けられた略直方体形状の収容部を有している。蓋体は、ボックス本体の開口に対応させて薄肉の長方形状に形成された、その開口を開閉可能に覆う部材である。開閉機構は、ボックス本体の開口の左側周縁に沿って延びる左側回転軸を中心にして蓋体を開閉動作させる右側開閉機構と、ボックス本体の開口の右側周縁に沿って延びる右側回転軸を中心にして蓋体を開閉動作させる左側開閉機構と、を有している。
【０００３】
右側開閉機構及び左側開閉機構はそれぞれ、蓋体の前部に配置された前側ロッドと、蓋体の後部に配置された後側ロッドと、ボックス本体の前部に設けられた前側係合孔と、ボックス本体の後部に設けられた後側係合孔と、を有している。前側ロッド及び後側ロッドはそれぞれ、ボックス本体に対して係合可能に前後方向に変位することができる。前側係合孔には、前側ロッドが係合可能である。後側係合孔には、後側ロッドが係合可能である。また、各開閉機構はそれぞれ、蓋体のロッドをボックス本体の係合孔に係合させる付勢力を発生する付勢部材と、開操作によりロッドを付勢部材の付勢力に抗してボックス本体の係合孔との係合が解除される解除方向に変位させる操作部と、を有している。蓋体は、例えば右側開閉機構の操作部が開操作された場合は、左側開閉機構において前側ロッド及び後側ロッドがボックス本体に係合した状態で、右側開閉機構における前側ロッド及び後側ロッドがボックス本体の係合孔から離脱してその係合孔との係合が解除されることにより、その右側において開状態になる。
【０００４】
また、開閉機構は、右側開閉機構の操作部への開操作によるロッドの変位と左側開閉機構の操作部への開操作によるロッドの変位とが同時に行われるのを防止する誤作動防止装置を有している。誤作動防止装置は、蓋体が右側開状態及び左側開状態の何れかにあるとき、蓋体の開側のロッドが係合孔との係合方向へ変位するのを規制することで、蓋体の閉側のロッドが係合孔との係合が解除される解除方向へ変位可能となるのを規制する。
【先行技術文献】
【特許文献】
【０００５】
【特許文献１】特開２０１６−１１２９７９号公報
【発明の概要】
【発明が解決しようとする課題】
【０００６】
上記した特許文献１記載の両開き収納装置では、誤作動防止装置は、蓋体が右側開状態にあるときに右側のロッドが係合孔に係合する方向に変位するのを規制する右側ストッパ機構と、蓋体が左側開状態にあるときに左側のロッドが係合孔に係合する方向に変位するのを規制する左側ストッパ機構と、を有している。これらの右側ストッパ機構と左側ストッパ機構とが別個独立した機構であるものとすると、それぞれ専用部品を用意することが必要となるので、誤作動防止装置全体としての構造が肥大化してしまう。
【０００７】
本発明は、このような点に鑑みてなされたものであり、誤作動防止装置のコンパクト化を図ることが可能な両開き収納装置を提供することを目的とする。
【課題を解決するための手段】
【０００８】
本発明は、開口が設けられた収容部を有するボックス本体と、前記開口を開閉可能に覆う蓋体と、それぞれ前記開口の周縁に沿って前後方向に延びる第１回転軸及び第２回転軸のうちから選択した回転軸を中心にして前記蓋体を開閉動作させる開閉機構と、を備える両開き収納装置であって、前記開閉機構は、前記第１回転軸に対応して前記蓋体に配置された、前記ボックス本体側に対して係合可能に変位する第１ロッドと、前記第２回転軸に対応して前記蓋体に配置された、前記ボックス本体側に対して係合可能に変位する第２ロッドと、前記第１ロッドに対応して前記ボックス本体側に設けられた、前記第１ロッドの先端が係合可能な第１係合孔と、前記第２ロッドに対応して前記ボックス本体側に設けられた、前記第２ロッドの先端が係合可能な第２係合孔と、前記第１ロッドを前記第１係合孔に係合させる付勢力を発生する第１付勢部材と、前記第２ロッドを前記第２係合孔に係合させる付勢力を発生する第２付勢部材と、開操作により前記第１ロッドを前記第１付勢部材の付勢力に抗して前記第１係合孔との係合が解除される解除方向へ変位させる第１操作部と、開操作により前記第２ロッドを前記第２付勢部材の付勢力に抗して前記第２係合孔との係合が解除される解除方向へ変位させる第２操作部と、前記第１操作部への開操作による前記第１ロッドの変位と前記第２操作部への開操作による前記第２ロッドの変位とが同時に行われるのを防止する誤作動防止装置と、を有し、前記誤作動防止装置は、前記蓋体の左右方向中央部に取り付けられたベース部材と、前記ベース部材に対して左側に配置された、前記ベース部材に対して前後方向に延びる第１軸を中心にして回動可能な第１ストッパと、前記ベース部材に対して右側に配置された、前記ベース部材に対して前後方向に延びる第２軸を中心にして回動可能な第２ストッパと、一端が前記第１ストッパに固定されかつ他端が前記第２ストッパに固定された、前記第１ストッパを前記第１軸を中心にして第１回動方向に回動させると共に前記第２ストッパを前記第２軸を中心にして第２回動方向に回動させる付勢力を発生するスプリング部材と、を有し、前記第１ストッパは、前記蓋体が左側開状態にないときに前記ボックス本体に当接することで、前記スプリング部材の付勢力により前記第１ストッパが前記第１回動方向に回動するのを規制する第１回動規制部と、前記蓋体が左側開状態にあるときに前記スプリング部材の付勢力により前記第１ストッパが前記第１回動方向へ回動した状態で前記第１ロッドの先端面に当接することで、前記第１付勢部材の付勢力に抗して前記第１係合孔に係合する方向への前記第１ロッドの変位を規制する第１変位規制部と、を有し、前記第２ストッパは、前記蓋体が右側開状態にないときに前記ボックス本体に当接することで、前記スプリング部材の付勢力に抗して前記第２回動方向への前記第２ストッパの回動を規制する第２回動規制部と、前記蓋体が右側開状態にあるときに前記スプリング部材の付勢力により前記第２ストッパが前記第２回動方向へ回動した状態で前記第２ロッドの先端面に当接することで、前記第２付勢部材の付勢力に抗して前記第２係合孔に係合する方向への前記第２ロッドの変位を規制する第２変位規制部と、を有する、両開き収納装置である。
【０００９】
この構成によれば、ベース部材、第１ストッパ、第２ストッパ、及びスプリング部材を用いて、第１操作部への開操作と第２操作部への開操作とが同時に行われることを防止して、蓋体が左側開状態になると共に右側開状態になるのを防止することができる。また、第１操作部への開操作と第２操作部への開操作とが同時に行われることを防止するうえで共通のベース部材及びスプリング部材を用いるので、誤作動防止装置のコンパクト化を図ることができる。
【図面の簡単な説明】
【００１０】
【図１】本発明の一実施形態に係る両開き収納装置が備えるボックス本体の斜視図である。
【図２】本実施形態の両開き収納装置が備える蓋体の左側開状態での斜視図である。
【図３】本実施形態の両開き収納装置が備える蓋体の右側開状態での斜視図である。
【図４】本実施形態の両開き収納装置が備える開閉機構の斜視図である。
【図５】本実施形態の両開き収納装置が備える開閉機構の分解斜視図である。
【図６】本実施形態の両開き収納装置が備える開閉機構の有するアームユニットの斜視図である。
【図７】本実施形態の両開き収納装置が備える開閉機構の有するアームユニットの分解斜視図である。
【図８】本実施形態の両開き収納装置が備える開閉機構の、蓋体の左側閉状態かつ右側閉状態での構成図である。
【図９】本実施形態の両開き収納装置が備える開閉機構の有するリテーナの上面図である。
【図１０】本実施形態の両開き収納装置が備える開閉機構の、蓋体の左側開状態での構成図である。
【図１１】本実施形態の両開き収納装置が備える開閉機構の、蓋体の右側開状態での構成図である。
【図１２】本実施形態の両開き収納装置が備える開閉機構の有する誤作動防止装置の要部の斜視図である。
【図１３】本実施形態の両開き収納装置が備える誤作動防止装置の、蓋体の閉状態での動作状態を説明するための図である。
【図１４】本実施形態の両開き収納装置が備える誤作動防止装置の、蓋体の左側開状態での動作状態を説明するための図である。
【図１５】本実施形態の両開き収納装置が備える誤作動防止装置を図８に示す直線XV−XVで切断した際の断面図である。
【図１６】本実施形態の両開き収納装置が備える誤作動防止装置の、左側操作部への開操作時における断面図である。
【図１７】本実施形態の両開き収納装置が備える誤作動防止装置を図１０に示す直線XVII−XVIIで切断した際の断面図である。
【発明を実施するための形態】
【００１１】
以下、図１−図１７を用いて、本発明に係る両開き収納装置の具体的な実施形態について説明する。
【００１２】
（１．両開き収納装置の構成）
両開き収納装置１は、例えば車両の車室内に配置されるセンターコンソールに装着されるコンソールボックスなどである。両開き収納装置１は、図１、図２、及び図３に示す如く、ボックス本体１０と、蓋体２０と、開閉機構３０と、を備えている。両開き収納装置１は、開閉機構３０により蓋体２０がボックス本体１０に対して開閉動作できるように構成されている。尚、両開き収納装置１は、蓋体２０が閉位置にあるときに乗員の腕を置くためのアームレストとして用いられるものであってよい。また、この実施形態において、方向を示す内容は、特段の事情が無い限り、両開き収納装置１が設置される車両を基準にしたものとする。例えば、「右側」とは車両進行方向に対する車両右側を指し、「左側」とは車両進行方向に対する車両左側を指すものとする。
【００１３】
ボックス本体１０は、略箱状に形成されている。ボックス本体１０は、車両ボデーにボルト締結などで固定されている。ボックス本体１０は、上面に開口１１が設けられた略直方体形状の収容部１２を有している。尚、ボックス本体１０は、収容部１２を取り囲む側壁及び底壁からなるものであればよく、例えばカップホルダーなどを収めるための枠などを含んでいてもよい。開口１１の周縁は、それぞれ車両前後方向に延びる二つの側辺１１ａを有している。両開き収納装置１は、側辺１１ａが車両前後方向に延びるように配置されている。
【００１４】
蓋体２０は、ボックス本体１０の開口１１に対応して長方形部分を含む形状（例えば図２、図３、及び図４などに示す如く、運転席側のアームレスト部分を前方へ延ばした形状であってもよい。）に形成されている。蓋体２０は、ボックス本体１０の開口１１を開閉可能に覆う。蓋体２０は、開口１１を覆った閉位置から、開口１１の周縁の左側の側辺１１ａに沿って前後方向に延びる回転軸（以下、左側回転軸と称す。）を中心にして開閉動作（すなわち、右側開閉動作）することが可能であると共に、開口１１の周縁の右側の側辺１１ａに沿って前後方向に延びる回転軸（以下、右側回転軸と称す。）を中心にして開閉動作（すなわち、左側開閉動作）することが可能である。蓋体２０は、ボックス本体１０に対して左右共に閉位置から所定角度（例えば１００°）をなす全開位置まで開動作することが可能である。
【００１５】
蓋体２０は、下部蓋材２１と、上部蓋材２２と、を有している。下部蓋材２１は、矩形板状に形成された平面部と、その平面部の周縁を囲む側壁部と、を有している。上部蓋材２２は、下部蓋材２１に対応した矩形形状に形成されており、外観において丸みを帯びた形状に形成されている。上部蓋材２２は、下部蓋材２１の上面を覆っている。下部蓋材２１と上部蓋材２２とは、凹凸嵌合などにより一体となって蓋体２０を形成している。
【００１６】
開閉機構３０は、図４及び図５などに示す如く、アームユニット３１を有している。アームユニット３１は、左側の側辺１１ａに沿った左側回転軸及び右側の側辺１１ａに沿った右側回転軸の何れか一の回転軸を選択した状態でその回転軸を中心にして蓋体２０を開閉動作させるためのユニットである。
【００１７】
アームユニット３１は、図６、図７、及び図８に示す如く、アーム部材３２と、左側枢支部３３Ｌと、右側枢支部３３Ｒと、を有している。アーム部材３２は、長尺形状に形成されたアーム状の板材である。アーム部材３２は、蓋体２０の閉位置でその長手方向が車両左右方向に延びるように配置されている。アーム部材３２は、ボックス本体１０の後基部１３と蓋体２０との間に配置されており、その後基部１３と蓋体２０との間に介在されている。アーム部材３２は、蓋体２０の閉位置において、前面が蓋体２０の後側に形成された側壁に沿いかつ後面がボックス本体１０の収容部１２の後側に形成された側壁に沿うように配置される。アーム部材３２は、長手方向において蓋体２０の左右方向の幅と略同じ長さを有している。
【００１８】
アーム部材３２は、左端部で蓋体２０に揺動可能に支持されかつ右端部でボックス本体１０の後基部１３に揺動可能に支持されるように構成されている。アーム部材３２は、左側回転軸を中心にして蓋体２０に対して揺動可能であると共に、右側回転軸を中心にしてボックス本体１０の後基部１３に対して揺動可能である。アーム部材３２には、二つの貫通孔３２Ｌ，３２Ｒが設けられている。貫通孔３２Ｌは、アーム部材３２の左端側に設けられており、前後方向に貫通している。貫通孔３２Ｒは、アーム部材３２の右端側に設けられており、前後方向に貫通している。
【００１９】
左側枢支部３３Ｌは、アーム部材３２の左端側に配置されている。左側枢支部３３Ｌは、上記の左側回転軸を構成するための部位であって、蓋体２０をその左側回転軸を中心にして開閉動作させる（すなわち、右側開閉動作）。左側枢支部３３Ｌは、軸体３４Ｌと、アームスプリング３５Ｌと、筒体３６Ｌと、ダンパ３７Ｌと、を有している。
【００２０】
軸体３４Ｌは、円筒状に形成されたカラーである。軸体３４Ｌは、アーム部材３２の左後側から前方に向けて左側の貫通孔３２Ｌに挿通される。軸体３４Ｌの後端側は、アーム部材３２に固定されている。軸体３４Ｌの前端側は、貫通孔３２Ｌの前側の開口から前方向に向けて突出している。蓋体２０の下部蓋材２１には、支持孔（図示せず）が設けられている。軸体３４Ｌの前端側は、この蓋体２０の支持孔に挿入されており、蓋体２０に対して回転可能に支持されている。軸体３４Ｌは、開口１１の周縁の左側の側辺１１ａに沿って前後方向に延びている。軸体３４Ｌは、上記の左側回転軸を構成する。アーム部材３２は、軸体３４Ｌにより蓋体２０に対して揺動可能である。
【００２１】
軸体３４Ｌには、アームスプリング３５Ｌが巻装されている。アームスプリング３５Ｌは、アーム部材３２を蓋体２０に対して揺動させるための付勢力を発生するねじりバネである。アームスプリング３５Ｌの付勢力は、蓋体２０の閉位置で最大である。アームスプリング３５Ｌの一端は、アーム部材３２に固定されている。アームスプリング３５Ｌの他端は、蓋体２０の下部蓋材２１に固定されている。
【００２２】
軸体３４Ｌには、筒体３６Ｌが外挿されている。筒体３６Ｌは、中空筒状に形成されており、その軸体３４Ｌに対して同軸上に設けられている。筒体３６Ｌは、蓋体２０に対して、軸体３４Ｌの回転に伴って一体的に回転する。筒体３６Ｌには、外歯３６Ｌａが形成されている。外歯３６Ｌａは、筒体３６Ｌの外周に沿って複数並んでいる。
【００２３】
ダンパ３７Ｌは、アーム部材３２を蓋体２０に対して揺動させるとき（具体的には、蓋体２０の右側開時）の揺動速度を減速させる減衰装置である。ダンパ３７Ｌは、円筒状に形成されている。ダンパ３７Ｌは、蓋体２０の下部蓋材２１に取り付け固定されている。ダンパ３７Ｌには、外歯３７Ｌａが形成されている。外歯３７Ｌａは、ダンパ３７Ｌの外周に沿って複数並んでいる。ダンパ３７Ｌの外歯３７Ｌａと筒体３６Ｌの外歯３６Ｌａとは互いに噛合している。ダンパ３７Ｌは、上記の揺動速度を減速させる減衰力を筒体３６Ｌを通じて軸体３４Ｌに付与する。
【００２４】
右側枢支部３３Ｒは、アーム部材３２に対して右側に配置されている。右側枢支部３３Ｒは、上記の右側回転軸を構成するための部位であって、蓋体２０をその右側回転軸を中心にして開閉動作させる（すなわち、左側開閉動作）。右側枢支部３３Ｒは、軸体３４Ｒと、アームスプリング３５Ｒと、筒体３６Ｒと、ダンパ３７Ｒと、を有している。
【００２５】
軸体３４Ｒは、円柱状に形成されている。軸体３４Ｒは、アーム部材３２の右前側から後方に向けて右側の貫通孔３２Ｒに挿通される。軸体３４Ｒの前端側は、アーム部材３２に固定されている。軸体３４Ｒの後端側は、貫通孔３２Ｒの後側の開口から後方向に向けて突出している。ボックス本体１０の後基部１３の右端部には、支持孔１３Ｒが設けられている。軸体３４Ｒの後端側は、後基部１３の支持孔１３Ｒに挿入されており、ボックス本体１０の後基部１３に対して回転可能に支持されている。軸体３４Ｒは、開口１１の周縁の右側の側辺１１ａに沿って前後方向に延びている。軸体３４Ｒは、上記の右側回転軸を構成する。アーム部材３２は、軸体３４Ｒによりボックス本体１０の後基部１３に対して揺動可能である。
【００２６】
軸体３４Ｒには、アームスプリング３５Ｒが巻装されている。アームスプリング３５Ｒは、アーム部材３２をボックス本体１０の後基部１３に対して揺動させるための付勢力を発生するねじりバネである。アームスプリング３５Ｌの付勢力は、蓋体２０の閉位置で最大である。アームスプリング３５Ｒの一端は、アーム部材３２に固定されている。アームスプリング３５Ｒの他端は、ボックス本体１０の後基部１３に固定されている。
【００２７】
軸体３４Ｒには、筒体３６Ｒが外挿されている。筒体３６Ｒは、中空筒状に形成されており、その軸体３４Ｒに対して同軸上に設けられている。筒体３６Ｒは、ボックス本体１０の後基部１３に対して、軸体３４Ｒの回転に伴って一体的に回転する。筒体３６Ｒには、外歯３６Ｒａが形成されている。外歯３６Ｒａは、筒体３６Ｒの外周に沿って複数並んでいる。
【００２８】
ダンパ３７Ｒは、アーム部材３２をボックス本体１０の後基部１３に対して揺動させるとき（具体的には、蓋体２０の左側開時）の揺動速度を減速させる減衰装置である。ダンパ３７Ｒは、円筒状に形成されている。ダンパ３７Ｒは、ボックス本体１０の後基部１３に取り付け固定されている。ダンパ３７Ｒには、外歯３７Ｒａが形成されている。外歯３７Ｒａは、ダンパ３７Ｒの外周に沿って複数並んでいる。ダンパ３７Ｒの外歯３７Ｒａと筒体３６Ｒの外歯３６Ｒａとは互いに噛合している。ダンパ３７Ｒは、上記の揺動速度を減速させる減衰力を筒体３６Ｒを通じて軸体３４Ｒに付与する。
【００２９】
開閉機構３０は、また、蓋体２０の左側及び右側の少なくとも一方側をボックス本体１０に対して閉位置に保持させると共に、一方側をボックス本体１０に対して閉位置に保持した状態で他方側の閉位置保持を解除する装置である。開閉機構３０は、図８に示す如く、左側ロック装置４０と、右側ロック装置５０と、を有している。左側ロック装置４０は、蓋体２０の左側に配置されている。左側ロック装置４０は、蓋体２０の左側を閉位置に保持させると共に、その左側の閉位置保持を解除する装置である。また、右側ロック装置５０は、蓋体２０の右側に配置されている。右側ロック装置５０は、蓋体２０の右側を閉位置に保持させると共に、その右側の閉位置保持を解除する装置である。
【００３０】
左側ロック装置４０は、左側第１ロッド４１と、左側第２ロッド４２と、左側同期装置４３と、左側ロッド付勢部材４４と、左側操作部４５と、を有している。左側第１ロッド４１は、蓋体２０の前部側に配設された、前後方向に延びるロッド部材である。左側第１ロッド４１は、板状に形成されている。左側第２ロッド４２は、蓋体２０の後部側に配設された、略前後方向に延びるロッド部材である。左側第２ロッド４２は、棒状に形成されている。左側第１ロッド４１及び左側第２ロッド４２はそれぞれ、蓋体２０に対して前後方向に変位可能に支持されている。
【００３１】
左側第１ロッド４１は、その前端部４１ａが蓋体２０の本体の前端よりも前方に突出する状態と蓋体２０の本体内に入り込む状態とに前後変位可能である。ボックス本体１０の前基部１４の後面の左端部には、左側第１ロッド４１の前端部４１ａが挿入され係合される係合孔１４Ｌが設けられている。左側第１ロッド４１の前端部４１ａは、蓋体２０の本体の前端よりも前方に突出した際にボックス本体１０の前基部１４の係合孔１４Ｌに係合する。左側第１ロッド４１は、前端部４１ａが前基部１４の係合孔１４Ｌに係合した状態で上記の左側回転軸を構成する。
【００３２】
左側第２ロッド４２の後端部４２ａは、左側枢支部３３Ｌの軸体３４Ｌの中心に空いた貫通孔３４Ｌａに挿通されている。左側第２ロッド４２は、その後端部４２ａが蓋体２０の本体の後端更にはアーム部材３２の後端よりも後方に突出する状態とアーム部材３２内に入り込む状態とに前後変位可能である。ボックス本体１０の後基部１３の前面の左端部には、左側第２ロッド４２の後端部４２ａが挿入され係合される係合孔１３Ｌが設けられている。左側第２ロッド４２の後端部４２ａは、アーム部材３２の後端よりも後方に突出した際にボックス本体１０の後基部１３の係合孔１３Ｌに係合する。
【００３３】
左側同期装置４３は、左側第１ロッド４１と左側第２ロッド４２との間に配置されている。左側同期装置４３は、左側第１ロッド４１と左側第２ロッド４２とを互いに近づく方向又は遠ざかる方向に同期して変位させる装置である。左側同期装置４３は、蓋体２０の下部蓋材２１に回転可能に支持された円板状の回転体である。左側同期装置４３の右側には、左側第１ロッド４１の後部が回動可能に支持されている。左側同期装置４３の左側には、左側第２ロッド４２の前部が回動可能に支持されている。左側同期装置４３における左側第１ロッド４１の支持点と左側第２ロッド４２の支持点とは、周方向に略１８０°離間しており、その左側同期装置４３の回転中心を挟んで略対称に位置している。
【００３４】
左側ロッド付勢部材４４は、左側第１ロッド４１を蓋体２０に対して前方へ付勢する付勢力を発生するつるまきバネである。左側ロッド付勢部材４４の一端は、左側第１ロッド４１に固定されている。左側ロッド付勢部材４４の他端は、蓋体２０の下部蓋材２１に固定されている。左側ロッド付勢部材４４の付勢力は、左側第１ロッド４１を介して左側同期装置４３を上方から見て反時計回り（左回り）に回転させるものであって、これにより、左側第２ロッド４２を蓋体２０に対して後方へ付勢する力となる。
【００３５】
左側操作部４５は、蓋体２０の左側に配設されている。左側操作部４５は、ボタン部４５ａと、機構部４５ｂと、を有している。ボタン部４５ａは、蓋体２０の左側壁側に設けられている。ボタン部４５ａは、スプリング４５ｃにより蓋体２０に対して左方に向けて付勢されており、操作者が右方へ押圧していない状態において蓋体２０の左側壁に沿って面一となるように保持されている。ボタン部４５ａは、操作者の右方への押圧操作によりスプリング４５ｃの付勢力に抗して蓋体２０に対して右方に相対移動することが可能である。
【００３６】
機構部４５ｂは、ボタン部４５ａと左側第１ロッド４１とを係合させる機構である。機構部４５ｂは、ボタン部４５ａから右方へ延びるロッド部を有している。このロッド部の右側先端は、後部側が斜めに切り欠かれた押圧斜面を有している。機構部４５ｂの押圧斜面は、ボタン部４５ａが右方へ押圧されていない状態すなわちボタン部４５ａが前基部１４の左側壁に沿って面一となっている状態では、左側第１ロッド４１に設けられた斜め左前方に面が向いた係合部４１ｂに当接していない。この状態では、左側第１ロッド４１に、蓋体２０に対して後方へ変位させる付勢力が付与されない。
【００３７】
一方、ボタン部４５ａが右方へ押圧されると、機構部４５ｂの押圧斜面が左側第１ロッド４１の係合部４１ｂに当接する。機構部４５ｂの右方への押圧が継続すると、機構部４５ｂと係合部４１ｂとの当接が進行することで、左側第１ロッド４１に、左側ロッド付勢部材４４の付勢力に抗して蓋体２０内に入り込むように後方へ変位させる付勢力が付与されるので、左側第１ロッド４１が機構部４５ｂに対して後側に変位する。この場合、左側第１ロッド４１が後方へ変位すると、左側同期装置４３が右回りに回転することで、左側第２ロッド４２が前方へ変位する。
【００３８】
蓋体２０が閉状態（すなわち、左側閉状態かつ右側閉状態）にありかつ左側操作部４５のボタン部４５ａが右方へ押圧操作されていないとき、及び、蓋体２０が右側開状態にあるときは、左側第１ロッド４１の前端部４１ａは、蓋体２０の本体の前端よりも前方に突出しており、ボックス本体１０の前基部１４の係合孔１４Ｌに係合している。また、このとき、左側第２ロッド４２の後端部４２ａは、アーム部材３２の後端よりも後方に突出しており、アーム部材３２を介してボックス本体１０の後基部１３の係合孔１３Ｌに係合している。以下、この状態を左ロック状態と称す。
【００３９】
上記の左ロック状態において左側操作部４５のボタン部４５ａが右方へ押圧操作されたとき、及び、蓋体２０が左側開状態にあるときは、左側第１ロッド４１の前端部４１ａが蓋体２０の本体の前端よりも後方に位置して蓋体２０内に入り込むことで、左側第１ロッド４１と前基部１４との係合が解除される。また、このとき、左側同期装置４３の右回転により左側第２ロッド４２の後端部４２ａがアーム部材３２の後端よりも前方に位置してアーム部材３２内に入り込むことで、左側第２ロッド４２と後基部１３との係合が解除される。以下、この状態を左ロック解除状態と称す。
【００４０】
右側ロック装置５０は、右側第１ロッド５１と、右側第２ロッド５２と、右側同期装置５３と、右側ロッド付勢部材５４と、右側操作部５５と、を有している。右側第１ロッド５１は、蓋体２０の前部側に配設された、前後方向に延びるロッド部材である。右側第１ロッド５１は、板状に形成されている。右側第２ロッド５２は、蓋体２０の後部側に配設された、略前後方向に延びるロッド部材である。右側第２ロッド５２は、棒状に形成されている。右側第１ロッド５１及び右側第２ロッド５２はそれぞれ、蓋体２０に対して前後方向に変位可能に支持されている。
【００４１】
右側第１ロッド５１は、その前端部５１ａが蓋体２０の本体の前端よりも前方に突出する状態と蓋体２０の本体内に入り込む状態とに前後変位可能である。ボックス本体１０の前基部１４の後面の右端部には、右側第１ロッド５１の前端部５１ａが挿入され係合される係合孔１４Ｒが設けられている。右側第１ロッド５１の前端部５１ａは、蓋体２０の本体の前端よりも前方に突出した際にボックス本体１０の前基部１４の係合孔１４Ｒに係合する。右側第１ロッド５１は、前端部５１ａが前基部１４の係合孔１４Ｒに係合した状態で上記の右側回転軸を構成する。
【００４２】
右側第２ロッド５２は、その後端部５２ａが蓋体２０の本体の後端よりも後方に突出する状態と蓋体２０の本体内に入り込む状態とに前後変位可能である。アーム部材３２の前面の右側には、右側第２ロッド５２の後端部５２ａが挿入され係合される係合孔３２ａが設けられている。右側第２ロッド５２の後端部５２ａは、蓋体２０の本体の後端よりも後方に突出した際にアーム部材３２の係合孔３２ａに係合する。
【００４３】
右側同期装置５３は、右側第１ロッド５１と右側第２ロッド５２との間に配置されている。右側同期装置５３は、右側第１ロッド５１と右側第２ロッド５２とを互いに近づく方向又は遠ざかる方向に同期して変位させる装置である。右側同期装置５３は、蓋体２０の下部蓋材２１に回転可能に支持された円板状の回転体である。右側同期装置５３の左側には、右側第１ロッド５１の後部が回動可能に支持されている。右側同期装置５３の右側には、右側第２ロッド５２の前部が回動可能に支持されている。右側同期装置５３における右側第１ロッド５１の支持点と右側第２ロッド５２の支持点とは、周方向に略１８０°離間しており、その右側同期装置５３の回転中心を挟んで略対称に位置している。
【００４４】
右側ロッド付勢部材５４は、右側第１ロッド５１を蓋体２０に対して前方へ付勢する付勢力を発生するつるまきバネである。右側ロッド付勢部材５４の一端は、右側第１ロッド５１に固定されている。右側ロッド付勢部材５４の他端は、蓋体２０の下部蓋材２１に固定されている。右側ロッド付勢部材５４の付勢力は、右側第１ロッド５１を介して右側同期装置５３を上方から見て時計回り（右回り）に回転させるものであって、これにより、右側第２ロッド５２を蓋体２０に対して後方へ付勢する力となる。
【００４５】
右側操作部５５は、蓋体２０の右側に配設されている。右側操作部５５は、ボタン部５５ａと、機構部５５ｂと、を有している。ボタン部５５ａは、蓋体２０の右側壁側に設けられている。ボタン部５５ａは、スプリング５５ｃにより蓋体２０に対して右方に向けて付勢されており、操作者が左方へ押圧していない状態において蓋体２０の右側壁に沿って面一となるように保持されている。ボタン部５５ａは、操作者の左方への押圧操作によりスプリング５５ｃの付勢力に抗して蓋体２０に対して左方に相対移動することが可能である。
【００４６】
機構部５５ｂは、ボタン部５５ａと右側第１ロッド５１とを係合させる機構である。機構部５５ｂは、ボタン部５５ａから左方へ延びるロッド部を有している。このロッド部の左側先端は、後部側が斜めに切り欠かれた押圧斜面を有している。機構部５５ｂの押圧斜面は、ボタン部５５ａが左方へ押圧されていない状態すなわちボタン部５５ａが前基部１４の右側壁に沿って面一となっている状態では、右側第１ロッド５１に設けられた斜め右前方に面が向いた係合部５１ｂに当接していない。この状態では、右側第１ロッド５１に、蓋体２０に対して後方へ変位させる付勢力が付与されない。
【００４７】
一方、ボタン部５５ａが左方へ押圧されると、機構部５５ｂの押圧斜面が右側第１ロッド５１の係合部５１ｂに当接する。機構部５５ｂの左方への押圧が継続すると、機構部５５ｂと係合部５１ｂとの当接が進行することで、右側第１ロッド５１に、右側ロッド付勢部材５４の付勢力に抗して蓋体２０内に入り込むように後方へ変位させる付勢力が付与されるので、右側第１ロッド５１が機構部５５ｂに対して後側に変位する。この場合、右側第１ロッド５１が後方へ変位すると、右側同期装置５３が左回りに回転することで、右側第２ロッド５２が前方へ変位する。
【００４８】
蓋体２０が閉状態（すなわち、左側閉状態かつ右側閉状態）にありかつ右側操作部５５のボタン部５５ａが左方へ押圧操作されていないとき、及び、蓋体２０が左側開状態にあるときは、右側第１ロッド５１の前端部５１ａは、蓋体２０の本体の前端よりも前方に突出しており、ボックス本体１０の前基部１４の係合孔１４Ｒに係合している。また、このとき、右側第２ロッド５２の後端部５２ａは、蓋体２０の本体の後端よりも後方に突出しており、アーム部材３２の係合孔３２ａに係合している。以下、この状態を右ロック状態と称す。
【００４９】
上記の右ロック状態において右側操作部５５のボタン部５５ａが左方へ押圧操作されたとき、及び、蓋体２０が右側開状態にあるときは、右側第１ロッド５１の前端部５１ａが蓋体２０の本体の前端よりも後方に位置して蓋体２０内に入り込むことで、右側第１ロッド５１と前基部１４との係合が解除される。また、このとき、右側同期装置５３の左回転により右側第２ロッド５２の後端部５２ａが蓋体２０の本体の後端よりも前方に位置して蓋体２０内に入り込むことで、右側第２ロッド５２とアーム部材３２との係合が解除される。以下、この状態を右ロック解除状態と称す。
【００５０】
開閉機構３０は、また、誤作動防止装置３９を有している。誤作動防止装置３９は、左側操作部４５への開操作と右側操作部５５への開操作とが同時に行われることすなわち左側第１及び第２ロッド４１，４２の前後方向変位と右側第１及び第２ロッド５１，５２の前後方向変位とが同時に行われることを防止する装置である。誤作動防止装置３９によれば、左側ロック装置４０及び右側ロック装置５０の何れか一方がロック解除状態にある場合に、他方がロック状態からロック解除状態へ状態変化するのが阻止される。
【００５１】
誤作動防止装置３９は、リテーナ６０と、ベース部材７０と、左側ストッパ８０と、右側ストッパ９０と、スプリング部材１００と、を有している。ベース部材７０と左側ストッパ８０と右側ストッパ９０とスプリング部材１００とは、互いに一体的に組み付けられてユニット化されている。
【００５２】
リテーナ６０は、図９に示す如く、プレート状に形成された部材である。リテーナ６０は、蓋体２０の下部蓋材２１に対して支持軸２３を中心にして回動可能に支持されている。支持軸２３は、上下方向に延びており、下部蓋材２１に螺合されている。リテーナ６０は、支持軸２３が挿入される支持孔６１を有している。支持孔６１は、リテーナ６０の左右方向中央部に設けられている。リテーナ６０は、左側ロック装置４０が左ロック解除状態となる蓋体２０の左側開状態で、右側操作部５５への押圧操作（開操作）に伴う右側第１及び第２ロッド５１，５２の前後変位を規制して右側ロック装置５０を右ロック状態に維持させると共に、右側ロック装置５０が右ロック解除状態となる蓋体２０の右側開状態で、左側操作部４５への押圧操作（開操作）に伴う左側第１及び第２ロッド４１，４２の前後変位を規制して左側ロック装置４０を左ロック状態に維持させる部材である。
【００５３】
リテーナ６０には、それぞれ上下方向に貫通する２つのピン挿入孔６２，６３が設けられている。ピン挿入孔６２は、支持孔６１に対して左側に配置されている。ピン挿入孔６３は、支持孔６１に対して右側に配置されている。以下、ピン挿入孔６２を左側ピン挿入孔６２と、ピン挿入孔６３を右側ピン挿入孔６３と、それぞれ称す。
【００５４】
左側ピン挿入孔６２及び右側ピン挿入孔６３は、左側操作部４５への開操作により左側第１及び第２ロッド４１，４２がボックス本体１０との係合が解除される解除方向へ変位することで後述の左側の係合ピン４１ｃが左側ピン挿入孔６２の後端部に位置した場合に、右側操作部５５への開操作ひいては右側第１及び第２ロッド５１，５２がボックス本体１０又はアーム部材３２との係合が解除される解除方向へ変位するのを規制し、また、右側操作部５５への開操作により右側第１及び第２ロッド５１，５２がボックス本体１０又はアーム部材３２との係合が解除される解除方向へ変位することでリテーナ６０全体の支持軸２３を中心にした回動によって左側の係合ピン４１ｃが左側ピン挿入孔６２の後端部に位置した場合に、左側操作部４５への開操作ひいては左側第１及び第２ロッド４１，４２が更にボックス本体１０との係合が解除される解除方向へ変位するのを規制するように形成されている。
【００５５】
左側ピン挿入孔６２には、左側第１ロッド４１に設けられた係合ピン４１ｃが挿入されている。係合ピン４１ｃは、左側第１ロッド４１の上面から上方に延びる円柱状のピンである。左側ピン挿入孔６２は、挿入された係合ピン４１ｃの前後方向への相対変位が許容されるように長孔状に形成されている。左側ピン挿入孔６２は、長孔部６２ａを有している。長孔部６２ａは、係合ピン４１ｃが前後方向に左側第１ロッド４１の左ロック解除時における変位分だけ相対変位できるように前後方向に延びている。尚、長孔部６２ａは、リテーナ６０が支持される支持軸２３を中心にした周方向に延びていればよい。また、長孔部６２ａの後端部は、係合ピン４１ｃの外径分の左右方向の孔幅を有していればよく、係合ピン４１ｃの外径を大きく超えた左右方向の孔幅を有していなくてよい。また、左側ピン挿入孔６２は、長孔部６２ａに繋がる、リテーナ６０を蓋体２０に組み付ける上で必要な孔部を有するものであってよい。
【００５６】
係合ピン４１ｃは、図８に示す如く、左ロック状態（すなわち、蓋体２０の閉状態と右側開状態との何れも含む。）において左側ピン挿入孔６２の長孔部６２ａの前端部に位置している。また、係合ピン４１ｃは、図１０に示す如く、左側第１ロッド４１が後方へ変位して左側ロック装置４０が左ロック解除状態（すなわち、蓋体２０の左側開状態）になると、左側ピン挿入孔６２の長孔部６２ａの後端部に位置する。左側第１ロッド４１は、左ロック状態と左ロック解除状態とで、リテーナ６０に対して前後方向に相対変位することができる。
【００５７】
右側ピン挿入孔６３には、右側第１ロッド５１に設けられた係合ピン５１ｃが挿入されている。係合ピン５１ｃは、右側第１ロッド５１の上面から上方に延びる円柱状のピンである。右側ピン挿入孔６３は、挿入された係合ピン５１ｃの前後方向への相対変位が規制されつつその係合ピン５１ｃの自軸回りの相対回転すなわち支持軸２３回りにおけるリテーナ６０の相対回転が許容されるように形成されている。右側ピン挿入孔６３は、孔部６３ａを有している。孔部６３ａは、係合ピン５１ｃが前後方向に相対変位できないように前後方向に係合ピン５１ｃの外径分だけ空けられている。尚、右側ピン挿入孔６３は、孔部６３ａに繋がる、リテーナ６０を蓋体２０に組み付ける上で必要な孔部を有するものであってよい。
【００５８】
係合ピン５１ｃは、右ロック状態（すなわち、蓋体２０の閉状態と左側開状態との何れも含む。）及び右ロック解除状態（すなわち、蓋体２０の右側開状態）の何れにおいても右側ピン挿入孔６３の孔部６３ａに位置している。右側第１ロッド５１は、右ロック状態と右ロック解除状態とで、リテーナ６０の右側ピン挿入孔６３に対して前後方向に相対変位することはできないが、係合ピン５１ｃが右側ピン挿入孔６３の孔部６３ａの後面を後方へ押圧することでそのリテーナ６０を支持軸２３を中心にして回動させることができる。
【００５９】
右側第１ロッド５１が後方へ変位して右側ロック装置５０が右ロック解除状態になると、図１１に示す如く、右側第１ロッド５１の係合ピン５１ｃがリテーナ６０の右側ピン挿入孔６３の孔部６３ａの後面に当接してそのリテーナ６０の右側を後方へ押圧することで、リテーナ６０が支持軸２３を中心にして上方から見て右回りに回動される。この場合には、リテーナ６０の左側ピン挿入孔６２の長孔部６２ａ内で左側第１ロッド４１の係合ピン４１ｃが相対変位することで、その係合ピン４１ｃがその長孔部６２ａの後端部に位置する。すなわち、係合ピン４１ｃは、右ロック解除状態すなわち蓋体２０の右側開状態においても、左側開状態のときと同様に、左側ピン挿入孔６２の長孔部６２ａの後端部に位置する。
【００６０】
リテーナ６０は、スプリング部材６５により蓋体２０の閉状態（すなわち、左ロック状態かつ右ロック状態）を実現すべき方向に付勢されている。スプリング部材６５は、略左右方向に延びている。スプリング部材６５は、係合ピン４１ｃを左側ピン挿入孔６２の長孔部６２ａの前端部に位置させつつ係合ピン５１ｃを右側ロック状態で実現すべき所定位置に位置させる付勢力をリテーナ６０に付与する。
【００６１】
ベース部材７０は、蓋体２０の下部蓋材２１にボルト７３などで固定されたブロック状の部材である。ベース部材７０は、蓋体２０の左右方向中央部に取り付けられており、蓋体２０の前端側に配置されている。ベース部材７０は、図１２に示す如く、それぞれ前後方向に延びる二つの軸孔７１，７２を有している。二つの軸孔７１，７２は、左右に並んで配置されている。軸孔７１は、左側ストッパ８０を回動可能に支持するための孔である。軸孔７２は、右側ストッパ９０を回動可能に支持するための孔である。ベース部材７０は、左側ストッパ８０及び右側ストッパ９０をそれぞれ回動可能に支持している。
【００６２】
左側ストッパ８０は、蓋体２０の左側閉状態で左側第１ロッド４１がボックス本体１０の前基部１４に係合するのを許可しつつ、蓋体２０の左側開状態で左側第１ロッド４１が前方へ変位するのを規制してボックス本体１０の前基部１４に係合するのを規制する部材である。すなわち、左側ストッパ８０は、蓋体２０の左側開状態で、左側操作部４５への押圧操作が解除されても、蓋体２０ひいてはリテーナ６０に対する左側第１ロッド４１の位置を押圧操作時における係合孔１４Ｌとの係合が解除された解除位置に維持させる部材である。左側ストッパ８０は、ベース部材７０に対して左側に配置されている。左側ストッパ８０は、本体部８１と、軸部８２と、を有している。
【００６３】
本体部８１は、左右方向に翼状に延びる部位である。軸部８２は、前後方向に延びた、ベース部材７０の軸孔７１に挿入される円筒状の部位である。軸部８２は、本体部８１の右端部に設けられている。左側ストッパ８０は、ベース部材７０に対して軸部８２が軸孔７１に挿入された状態に配置される。
【００６４】
また、右側ストッパ９０は、蓋体２０の右側閉状態で右側第１ロッド５１がボックス本体１０の前基部１４に係合するのを許可しつつ、蓋体２０の右側開状態で右側第１ロッド５１が前方へ変位するのを規制してボックス本体１０の前基部１４に係合するのを規制する部材である。すなわち、右側ストッパ９０は、蓋体２０の右側開状態で、右側操作部５５への押圧操作が解除されても、蓋体２０ひいてはリテーナ６０に対する右側第１ロッド５１の位置を押圧操作時における係合孔１４Ｒとの係合が解除された解除位置に維持させる部材である。右側ストッパ９０は、ベース部材７０に対して、左側ストッパ８０とは反対側の右側に配置されている。右側ストッパ９０は、本体部９１と、軸部９２と、を有している。
【００６５】
本体部９１は、左右方向に翼状に延びる部位である。軸部９２は、前後方向に延びた、ベース部材７０の軸孔７２に挿入される円筒状の部位である。軸部９２は、本体部９１の左端部に設けられている。右側ストッパ９０は、ベース部材７０に対して軸部９２が軸孔７２に挿入された状態に配置される。
【００６６】
左側ストッパ８０及び右側ストッパ９０はそれぞれ、図１３に示す如く、スプリング部材１００の端部が固定されるスプリング固定部８３，９３を有している。左側ストッパ８０のスプリング固定部８３及び右側ストッパ９０のスプリング固定部９３の少なくとも一方は、左側ストッパ８０及び右側ストッパ９０それぞれがベース部材７０に支持された状態で軸部８２，９２の中心を結ぶ直線上の位置とは異なる位置に設けられている。具体的には、スプリング固定部８３，９３は共に、本体部８１，９１の下部に設けられている。
【００６７】
スプリング部材１００の一端は、左側ストッパ８０のスプリング固定部８３に固定されている。スプリング部材１００の他端は、右側ストッパ９０のスプリング固定部９３に固定されている。スプリング部材１００は、左側ストッパ８０及び右側ストッパ９０を軸部８２，９２を中心にして互いに逆方向に回動させる付勢力を発生する部材である。具体的には、スプリング部材１００は、左側ストッパ８０を軸部８２を中心にして前方から見て時計回り方向ω＋に回動させてその左側ストッパ８０の左部側を下部蓋材２１に対して相対的に押し下げると共に、右側ストッパ９０を軸部９２を中心にして前方から見て反時計回り方向ω−に回動させてその右側ストッパ９０の右部側を下部蓋材２１に対して相対的に押し下げる付勢力を発生する。尚、左側ストッパ８０及び右側ストッパ９０はそれぞれ、スプリング部材１００の付勢力による押し下げを所定位置で規制する押下規制部を有するように形成されている。
【００６８】
左側ストッパ８０は、回動規制部８４を有している。回動規制部８４は、蓋体２０の左側開状態ではスプリング部材１００の付勢力による左側ストッパ８０の回動を許可する一方、蓋体２０の左側閉状態ではスプリング部材１００の付勢力に抗して左側ストッパ８０の回動を規制する部位である。回動規制部８４は、ボックス本体１０の前基部１４の上面に当接可能であり、本体部８１から前方へ突出するように形成されている。
【００６９】
回動規制部８４は、図１３に示す如く、蓋体２０が左側開状態にないときすなわち左側閉状態にあるときに前基部１４の上面に当接する。回動規制部８４が前基部１４の上面に当接した状態では、スプリング部材１００の付勢力により左側ストッパ８０が時計回り方向ω＋に回動することすなわち下部蓋材２１に対して押し下げられることが規制され、左側ストッパ８０にスプリング部材１００の付勢力に抗して蓋体２０に対して反時計回り方向ω−に回動させる力が付与される。一方、回動規制部８４は、図１４に示す如く、蓋体２０が左側開状態にあるときは前基部１４の上面から離間する。回動規制部８４が前基部１４の上面から離間すると、左側ストッパ８０がスプリング部材１００の付勢力により時計回り方向ω＋に回動して下部蓋材２１に対して押し下げられる。
【００７０】
左側ストッパ８０は、変位規制部８５を有している。変位規制部８５は、蓋体２０の左側閉状態では左側第１ロッド４１に当接しないことで左側ロッド付勢部材４４の付勢力による左側第１ロッド４１と係合孔１４Ｌとの係合を許可する一方、蓋体２０の左側開状態では左側第１ロッド４１に当接することで左側ロッド付勢部材４４の付勢力に抗して左側第１ロッド４１と係合孔１４Ｌとの係合を規制する部位である。変位規制部８５は、左側第１ロッド４１の前部に設けられた規制部４１ｄに当接可能であり、本体部８１に一体的に設けられており、後方に向いた面部を有するように形成されている。
【００７１】
蓋体２０が左側開状態にないときすなわち左側閉状態にあるときは、図１５に示す如く、左側ストッパ８０が回動規制部８４による回動規制により下部蓋材２１に対して押し下げられていないので、変位規制部８５は、左側第１ロッド４１の規制部４１ｄに対する当接可能位置に位置していない。このときは、左側第１ロッド４１がその変位規制部８５に当接することなく左側ロッド付勢部材４４の付勢力により前方へ付勢されるので、左側第１ロッド４１と係合孔１４Ｌとの係合が許可される。このため、蓋体の左側閉状態では、左ロック状態が実現される。
【００７２】
一方、蓋体２０の閉状態から左側操作部４５が右方へ押圧操作されると、まず、図１６に示す如く、左側第１ロッド４１が後方へ変位して、その規制部４１ｄも後方へ変位する。そして、左側第１及び第２ロッド４１，４２とボックス本体１０との係合が解除されて左側ロック装置４０が左ロック解除状態（すなわち、左側開状態）になると、図１７に示す如く、回動規制部８４による回動規制が解除されて左側ストッパ８０がスプリング部材１００の付勢力により下部蓋材２１に対して押し下げられるので、変位規制部８５は、左側第１ロッド４１の規制部４１ｄに対する当接可能位置に位置する。このときは、左側第１ロッド４１が左側ロッド付勢部材４４の付勢力により前方へ付勢されてもその変位規制部８５に当接してそれ以上変位できないので、左側第１ロッド４１と係合孔１４Ｌとの係合が規制される。
【００７３】
このため、左側操作部４５に対する右方への押圧操作により蓋体２０が一旦左側開状態になると、その後にその押圧操作が解除されても、その左側開状態では、左側第１ロッド４１が蓋体２０に対して押圧操作時の係合解除位置に維持される。この場合は、左側操作部４５への押圧操作が解除されても、左側第１ロッド４１の係合ピン４１ｃがリテーナ６０の左側ピン挿入孔６２の長孔部６２ａの後端部に位置し続ける。
【００７４】
右側ストッパ９０は、回動規制部９４を有している。回動規制部９４は、蓋体２０の右側開状態ではスプリング部材１００の付勢力による右側ストッパ９０の回動を許可する一方、蓋体２０の右側閉状態ではスプリング部材１００の付勢力に抗して右側ストッパ９０の回動を規制する部位である。回動規制部９４は、ボックス本体１０の前基部１４の上面に当接可能であり、本体部９１から前方へ突出するように形成されている。
【００７５】
回動規制部９４は、蓋体２０が右側開状態にないときすなわち右側閉状態にあるときに前基部１４の上面に当接する。回動規制部９４は、前基部１４の上面に当接した状態では、スプリング部材１００の付勢力により右側ストッパ９０が反時計回り方向ω−に回動することすなわち下部蓋材２１に対して押し下げられることが規制され、右側ストッパ９０にスプリング部材１００の付勢力に抗して蓋体２０に対して時計回り方向ω＋に回動させる力が付与される。一方、回動規制部９４は、蓋体２０が右側開状態にあるときは前基部１４の上面から離間する。回動規制部９４が前基部１４の上面から離間すると、右側ストッパ９０がスプリング部材１００の付勢力により反時計回り方向ω−に回動して下部蓋材２１に対して押し下げられる。
【００７６】
右側ストッパ９０は、変位規制部９５を有している。変位規制部９５は、蓋体２０の右側閉状態では右側第１ロッド５１に当接しないことで右側ロッド付勢部材５４の付勢力による右側第１ロッド５１と係合孔１４Ｒとの係合を許可する一方、蓋体２０の右側開状態では右側第１ロッド５１に当接することで右側ロッド付勢部材５４の付勢力に抗して右側第１ロッド５１と係合孔１４Ｒとの係合を規制する部位である。変位規制部９５は、右側第１ロッド５１の前部に設けられた規制部５１ｄに当接可能であり、本体部９１に一体的に設けられており、後方に向いた面部を有するように形成されている。
【００７７】
蓋体２０が右側開状態にないときすなわち右側閉状態にあるときは、右側ストッパ９０が回動規制部９４による回動規制により下部蓋材２１に対して押し下げられていないので、変位規制部９５は、右側第１ロッド５１の規制部５１ｄに対する当接可能位置に位置していない。このときは、右側第１ロッド５１がその変位規制部９５に当接することなく右側ロッド付勢部材５４の付勢力により前方へ付勢されるので、右側第１ロッド５１と係合孔１４Ｒとの係合が許可される。このため、蓋体の右側閉状態では、右ロック状態が実現される。
【００７８】
一方、蓋体２０の閉状態から右側操作部５５が左方へ押圧操作されると、まず、右側第１ロッド５１が後方へ変位して、その規制部５１ｄも後方へ変位する。そして、右側第１及び第２ロッド５１，５２とボックス本体１０又はアーム部材３２との係合が解除されて右側ロック装置５０が右ロック解除状態（すなわち、右側開状態）になると、回動規制部９４による回動規制が解除されて右側ストッパ９０がスプリング部材１００の付勢力により下部蓋材２１に対して押し下げられるので、変位規制部９５は、右側第１ロッド５１の規制部５１ｄに対する当接可能位置に位置する。このときは、右側第１ロッド５１が右側ロッド付勢部材５４の付勢力により前方へ付勢されてもその変位規制部９５に当接してそれ以上変位できないので、右側第１ロッド５１と係合孔１４Ｒとの係合が規制される。
【００７９】
このため、右側操作部５５に対する左方への押圧操作により蓋体２０が一旦右側開状態になると、その後にその押圧操作が解除されても、その右側開状態では、右側第１ロッド５１が蓋体２０に対して押圧操作時の係合解除位置に維持される。この場合は、右側操作部５５への押圧操作が解除されても、左側第１ロッド４１の係合ピン４１ｃがリテーナ６０の左側ピン挿入孔６２の長孔部６２ａの後端部に位置し続ける。
【００８０】
（２．両開き収納装置の動作）
両開き収納装置１において、蓋体２０の閉状態では、左側第１ロッド４１及び右側第１ロッド５１がボックス本体１０の前基部１４に係合し、左側第２ロッド４２がアーム部材３２を介してボックス本体１０の後基部１３に係合し、右側第２ロッド５２がアーム部材３２に係合している。
【００８１】
上記した蓋体２０の閉状態で左側操作部４５のボタン部４５ａが右方へ押し込み操作されると、機構部４５ｂの押圧斜面が左側第１ロッド４１の係合部４１ｂに当接してその左側第１ロッド４１を後方へ変位させる。左側第１ロッド４１が後方へ変位すると、左側同期装置４３が右回りに回転することで、左側第２ロッド４２が前方へ変位する。左側第１ロッド４１の後方変位がボックス本体１０の前基部１４との係合解除まで行われ、かつ、左側第２ロッド４２の前方変位がボックス本体１０の後基部１３との係合解除まで行われると、右側第１ロッド５１及び右側第２ロッド５２がボックス本体１０の前基部１４又はアーム部材３２に係合した状態（すなわち、右側ロック装置５０の右ロック状態）で左側ロック装置４０が左ロック解除状態になる。この場合、蓋体２０の右側閉状態が維持されつつ、蓋体２０の左側閉状態の維持が解除される。
【００８２】
尚、左側ロック装置４０は、左側第１ロッド４１とボックス本体１０の前基部１４との係合解除と左側第２ロッド４２とボックス本体１０の後基部１３との係合解除とが互いに略同じタイミングで実施されるように構成されていることが望ましい。
【００８３】
蓋体２０の右側閉状態が維持されつつ左側閉状態の維持が解除されると、蓋体２０がアーム部材３２に対して揺動しない一方、アーム部材３２が右側枢支部３３Ｒのアームスプリング３５Ｒの付勢力によりボックス本体１０の後基部１３に対して揺動する。このため、左側操作部４５のボタン部４５ａの右方への押圧操作が行われた場合、蓋体２０がアーム部材３２に一体化された状態で、蓋体２０がボックス本体１０に対して右側回転軸を中心にして回動する。これにより、蓋体２０が、その左側が開位置に向けて開かれる左側開状態となる。
【００８４】
また、上記した蓋体２０の閉状態で右側操作部５５のボタン部５５ａが左方へ押し込み操作されると、機構部５５ｂの押圧斜面が右側第１ロッド５１の係合部５１ｂに当接してその右側第１ロッド５１を後方へ変位させる。右側第１ロッド５１が後方へ変位すると、右側同期装置５３が左回りに回転することで、右側第２ロッド５２が前方へ変位する。右側第１ロッド５１の後方変位がボックス本体１０の前基部１４との係合解除まで行われ、かつ、右側第２ロッド５２の前方変位がアーム部材３２との係合解除まで行われると、左側第１ロッド４１及び左側第２ロッド４２がボックス本体１０の前基部１４又は後基部１３に係合した状態（すなわち、左側ロック装置４０の左ロック状態）で右側ロック装置５０が右ロック解除状態になる。この場合、蓋体２０の左側閉状態が維持されつつ、蓋体２０の右側閉状態の維持が解除される。
【００８５】
尚、右側ロック装置５０は、右側第１ロッド５１とボックス本体１０の前基部１４との係合解除と右側第２ロッド５２とアーム部材３２との係合解除とが互いに略同じタイミングで実施されるように構成されていることが望ましい。
【００８６】
蓋体２０の左側閉状態が維持されつつ右側閉状態の維持が解除されると、アーム部材３２がボックス本体１０の後基部１３に対して揺動しない一方、蓋体２０が左側枢支部３３Ｌのアームスプリング３５Ｌの付勢力によりアーム部材３２に対して揺動する。このため、右側操作部５５のボタン部５５ａの左方への押圧操作が行われた場合、アーム部材３２がボックス本体１０に一体化された状態で、蓋体２０がそのアーム部材３２ひいてはボックス本体１０に対して左側回転軸を中心にして回動する。これにより、蓋体２０が、その右側が開位置に向けて開かれる右側開状態となる。
【００８７】
このように、両開き収納装置１において、蓋体２０は、ボックス本体１０の開口１１を覆った閉状態から、右側回転軸を中心にして左側開状態となることが可能であると共に、左側回転軸を中心にして右側開状態となることが可能である。蓋体２０が左側開状態又は右側開状態になった後は、その蓋体２０がボックス本体１０に対して下向きに押圧されて回転軸を中心にして戻る方向に回動されることで閉状態になる。従って、蓋体２０は、右側回転軸及び左側回転軸のうちから何れか選択した回転軸を中心にして開閉動作することが可能である。
【００８８】
また、両開き収納装置１において、開閉機構３０は、上記の如く、左側操作部４５への開操作と右側操作部５５への開操作とが同時に行われることを防止する誤作動防止装置３９を有している。誤作動防止装置３９は、蓋体２０に回動可能に支持されたリテーナ６０と、リテーナ６０に設けられたピン挿入孔６２，６３と、ロッド４１，５１に設けられた係合ピン４１ｃ，５１ｃと、を有している。
【００８９】
左側ピン挿入孔６２と係合ピン４１ｃとの形状及び位置関係並びに右側ピン挿入孔６３と係合ピン５１ｃとの形状及び位置関係は、左側操作部４５への開操作時は左側第１及び第２ロッド４１，４２がボックス本体１０との係合が解除される解除方向へ変位することで左側第１ロッド４１の係合ピン４１ｃがリテーナ６０の左側ピン挿入孔６２の長孔部６２ａの後端部に位置すると共に、右側操作部５５への開操作時は右側第１及び第２ロッド５１，５２がボックス本体１０又はアーム部材３２との係合が解除される解除方向へ変位することでリテーナ６０全体の支持軸２３を中心にした回動によって左側第１ロッド４１の係合ピン４１ｃが左側ピン挿入孔６２の長孔部６２ａの後端部に位置するように設定されている。
【００９０】
かかる構造においては、左側操作部４５又は右側操作部５５の開操作により左側ロック装置４０及び右側ロック装置５０の何れかがロック解除状態になると、左側第１ロッド４１がリテーナ６０に対して相対的に後方へ変位することで、左側第１ロッド４１の係合ピン４１ｃがリテーナ６０の左側ピン挿入孔６２の長孔部６２ａの後端部に位置すると共に、蓋体２０が左側開状態又は右側開状態になる。すなわち、蓋体２０が左側開状態及び右側開状態の何れかになると、左側第１ロッド４１の係合ピン４１ｃがリテーナ６０の左側ピン挿入孔６２の長孔部６２ａの後端部に位置する。
【００９１】
誤作動防止装置３９は、更に、蓋体２０の左側開状態で左側第１ロッド４１が前方へ変位するのを規制してボックス本体１０の前基部１４の係合孔１４Ｌに係合するのを規制する左側ストッパ８０と、蓋体２０の右側開状態で右側第１ロッド５１が前方へ変位するのを規制してボックス本体１０の前基部１４の係合孔１４Ｒに係合するのを規制する右側ストッパ９０と、を有している。
【００９２】
かかる構造においては、蓋体２０が左側開状態になると、左側操作部４５への押圧操作が解除された後も、左側ストッパ８０により左側第１ロッド４１が前方へ変位するのが規制されて、左側ロッド付勢部材４４の付勢力による左側第１ロッド４１と係合孔１４Ｌとの係合及び左側第２ロッド４２と係合孔１３Ｌとの係合が規制される。また、蓋体２０が右側開状態になると、右側操作部５５への押圧操作が解除された後も、右側ストッパ９０により右側第１ロッド５１が前方へ変位するのが規制されて、右側ロッド付勢部材５４の付勢力による右側第１ロッド５１と係合孔１４Ｒとの係合及び右側第２ロッド５２と係合孔３２ａとの係合が規制される。
【００９３】
従って、蓋体２０が左側開状態になると、左側操作部４５への押圧操作が解除された後も、左側第１ロッド４１の係合ピン４１ｃがリテーナ６０の左側ピン挿入孔６２の長孔部６２ａの後端部に位置すると共に、左側ストッパ８０により左側第１ロッド４１が蓋体２０及びリテーナ６０に対して前方へ変位するのが規制されるので、係合ピン４１ｃが長孔部６２ａの後端部に保持される。かかる状況で操作者が右側操作部５５への押圧操作によりリテーナ６０を支持軸２３を中心にして右回りに回動させようとしても、係合ピン４１ｃが左側ピン挿入孔６２の長孔部６２ａに対して更に後方へ変位することはできないので、その右側操作部５５への押圧操作を規制することができ、リテーナ６０の右回り回動ひいては右側第１及び第２ロッド５１，５２の前後変位が許可されることを防止することができる。
【００９４】
また、蓋体２０が右側開状態になると、右側操作部５５への押圧操作が解除された後も、左側第１ロッド４１の係合ピン４１ｃがリテーナ６０の左側ピン挿入孔６２の長孔部６２ａの後端部に位置すると共に、右側ストッパ９０により右側第１ロッド５１が蓋体２０及びリテーナ６０に対して前方へ変位するのが規制されるので、係合ピン４１ｃが長孔部６２ａの後端部に保持される。かかる状況で操作者が左側操作部４５への押圧操作により左側第１ロッド４１をリテーナ６０に対して後方へ変位させようとしても、係合ピン４１ｃが左側ピン挿入孔６２の長孔部６２ａに対して更に後方へ変位することはできないので、その左側操作部４５への押圧操作を規制することができ、左側第１及び第２ロッド４１，４２の前後変位が許可されることを防止することができる。
【００９５】
すなわち、蓋体２０の左側開状態では、右側操作部５５への押圧操作に伴う右側第１及び第２ロッド５１，５２の前後変位を規制して右側ロック装置５０を右ロック状態に維持させることができると共に、蓋体２０の右側開状態では、左側操作部４５への押圧操作に伴う左側第１及び第２ロッド４１，４２の前後変位を規制して左側ロック装置４０を左ロック状態に維持させることができる。従って、左側操作部４５への開操作と右側操作部５５への開操作とが同時に行われることを防止して、蓋体２０が左側開状態になると共に右側開状態になるのを防止することができる。
【００９６】
また、両開き収納装置１においては、左側ストッパ８０と右側ストッパ９０とが、共通部品であるベース部材７０に組み付けられており、スプリング部材１００により互いに逆方向に回動するように付勢されている。かかる構造においては、左側ストッパ８０を用いて蓋体２０の左側開状態で右ロック状態を維持させる機構と、右側ストッパ９０を用いて蓋体２０の右側開状態で左側ロック状態を維持させる機構と、で部品の共通化が図られている。従って、誤作動防止装置３９のコンパクト化を図ることができる。このため、蓋体２０の狭いスペースでも誤作動防止装置３９を配置することができ、蓋体２０の特に左右方向寸法を短縮することができる。
【００９７】
更に、ベース部材７０と左側ストッパ８０と右側ストッパ９０とスプリング部材１００とが、互いに一体的に組み付けられてユニット化されている。かかる構造によれば、ベース部材７０と左側ストッパ８０と右側ストッパ９０とスプリング部材１００との組み付け後、両開き収納装置１への組み込み前に、そのユニット部品を取り扱い易くすることができると共に、両開き収納装置１へのそのユニット部品の組み込み作業の容易化を図ることができる。
【００９８】
尚、蓋体２０が左側開状態からボックス本体１０に対して下向きに押圧されることで閉状態になると、その途中で左側ストッパ８０の回動規制部８４が前基部１４の上面に当接し、その後、左側ストッパ８０がスプリング部材１００の付勢力に抗して蓋体２０に対して反時計回り方向ω−に回動されて下部蓋材２１に対して押し上げられる。この場合は、左側第１ロッド４１と左側ストッパ８０の変位規制部８５との当接が解除されて左側第１ロッド４１が左側ロッド付勢部材４４の付勢力により前方へ付勢されるので、左側第１ロッド４１と係合孔１４Ｌとが互いに係合されて左側ロック装置４０がロック状態となる。
【００９９】
また、蓋体２０が右側開状態からボックス本体１０に対して下向きに押圧されることで閉状態になると、その途中で右側ストッパ９０の回動規制部９４が前基部１４の上面に当接し、その後、右側ストッパ９０がスプリング部材１００の付勢力に抗して蓋体２０に対して時計回り方向ω＋に回動されて下部蓋材２１に対して押し上げられる。この場合は、右側第１ロッド５１と右側ストッパ９０の変位規制部９５との当接が解除されて右側第１ロッド５１が右側ロッド付勢部材５４の付勢力により前方へ付勢されるので、右側第１ロッド５１と係合孔１４Ｒとが互いに係合されて右側ロック装置５０がロック状態となる。
【０１００】
（３．両開き収納装置の作用効果）
本実施形態の両開き収納装置１は、開口１１が設けられた収容部１２を有するボックス本体１０と、開口１１を開閉可能に覆う蓋体２０と、それぞれ開口１１の周縁に沿って前後方向に延びる左側回転軸及び右側回転軸のうちから選択した回転軸を中心にして蓋体２０を開閉動作させる開閉機構３０と、を備える。開閉機構３０は、左側回転軸に対応して蓋体２０に配置された、ボックス本体１０に対して係合可能に変位する左側第１及び第２ロッド４１，４２と、右側回転軸に対応して蓋体２０に配置された、ボックス本体１０に対して係合可能に変位する右側第１及び第２ロッド５１，５２と、左側第１及び第２ロッド４１，４２に対応してボックス本体１０に設けられた、そのロッド４１，４２の先端が係合可能な係合孔１４Ｌ，１３Ｌと、右側第１及び第２ロッド５１，５２に対応してボックス本体１０又はアーム部材３２に設けられた、そのロッド５１，５２の先端が係合可能な係合孔１４Ｒ，３２ａと、左側第１及び第２ロッド４１，４２を係合孔１４Ｌ，１３Ｌに係合させる付勢力を発生する左側ロッド付勢部材４４と、右側第１及び第２ロッド５１，５２を係合孔１４Ｒ，３２ａに係合させる付勢力を発生する右側ロッド付勢部材５４と、開操作により左側第１及び第２ロッド４１，４２を左側ロッド付勢部材４４の付勢力に抗して係合孔１４Ｌ，１３Ｌとの係合が解除される解除方向へ変位させる左側操作部４５と、開操作により右側第１及び第２ロッド５１，５２を右側ロッド付勢部材５４の付勢力に抗して係合孔１４Ｒ，３２ａとの係合が解除される解除方向へ変位させる右側操作部５５と、左側操作部４５への開操作による左側第１及び第２ロッド４１，４２の変位と右側操作部５５への開操作による右側第１及び第２ロッド５１，５２の変位とが同時に行われるのを防止する誤作動防止装置３９と、を有する。誤作動防止装置３９は、蓋体２０の左右方向中央部に取り付けられたベース部材７０と、ベース部材７０に対して左側に配置された、ベース部材７０に対して前後方向に延びる軸部８２を中心にして回動可能な左側ストッパ８０と、ベース部材７０に対して右側に配置された、ベース部材７０に対して前後方向に延びる軸部９２を中心にして回動可能な右側ストッパ９０と、一端が左側ストッパ８０に固定されかつ他端が右側ストッパ９０に固定された、左側ストッパ８０を軸部８２を中心にして時計回り方向ω＋に回動させると共に右側ストッパ９０を軸部９２を中心にして反時計回り方向ω−に回動させる付勢力を発生するスプリング部材１００と、を有する。左側ストッパ８０は、蓋体２０が左側閉状態にあるときにボックス本体１０に当接することで、スプリング部材１００の付勢力により左側ストッパ８０が時計回り方向ω＋に回動するのを規制する回動規制部８４と、蓋体２０が左側開状態にあるときにスプリング部材１００の付勢力により左側ストッパ８０が時計回り方向ω＋へ回動した状態で左側第１ロッド４１の先端面に当接することで、左側ロッド付勢部材４４の付勢力に抗して係合孔１４Ｌに係合する前方への左側第１ロッド４１の変位を規制する変位規制部８５と、を有する。右側ストッパ９０は、蓋体２０が右側閉状態にあるときにボックス本体１０に当接することで、���プリング部材１００の付勢力に抗して反時計回り方向ω−への右側ストッパ９０の回動を規制する回動規制部９４と、蓋体２０が右側開状態にあるときにスプリング部材１００の付勢力により右側ストッパ９０が反時計回り方向ω−へ回動した状態で右側第１ロッド５１の先端面に当接することで、右側ロッド付勢部材５４の付勢力に抗して係合孔１４Ｒに係合する前方への右側第１ロッド５１の変位を規制する変位規制部９５と、を有する。
【０１０１】
この構成によれば、ベース部材７０、左側ストッパ８０、右側ストッパ９０、及びスプリング部材１００を用いて、左側操作部４５への開操作と右側操作部５５への開操作とが同時に行われることを防止して、蓋体２０が左側開状態になると共に右側開状態になるのを防止することができる。また、左側操作部４５への開操作と右側操作部５５への開操作とが同時に行われることを防止するうえで共通のベース部材７０及びスプリング部材１００を用いるので、誤作動防止装置３９のコンパクト化を図ることができる。
【０１０２】
また、両開き収納装置１において、ベース部材７０と左側ストッパ８０と右側ストッパ９０とスプリング部材１００とは、ユニット化されている。このため、そのユニット部品の取り扱いの容易化を図ることができると共に、そのユニット部品の両開き収納装置１への組み込み作業の容易化を図ることができる。
【０１０３】
また、両開き収納装置１において、誤作動防止装置３９は、蓋体２０に支持軸２３を中心にして回動可能に支持されたリテーナ６０と、左側第１ロッド４１に設けられた係合ピン４１ｃと、リテーナ６０に設けられた、係合ピン４１ｃが前後方向への相対変位が許容された状態に挿入される左側ピン挿入孔６２と、右側第１ロッド５１に設けられた係合ピン５１ｃと、リテーナ６０に設けられた、係合ピン５１ｃが前後方向への相対変位が規制されつつ自軸回りの相対回転が許容された状態に挿入される右側ピン挿入孔６３と、を有する。リテーナ６０は、右側操作部５５への開操作により右側第１ロッド５１が解除方向へ変位した際に支持軸２３を中心にして回動する。ピン挿入孔６２，６３は、左側操作部４５への開操作により左側第１ロッド４１が解除方向へ変位することで係合ピン４１ｃが左側ピン挿入孔６２内の長孔部６２ａの後端部に位置した場合に、右側操作部５５への開操作による右側第１ロッド５１の解除方向への変位を規制し、また、右側操作部５５への開操作により右側第１ロッド５１が解除方向へ変位することでリテーナ６０の回動によって係合ピン４１ｃが左側ピン挿入孔６２内の長孔部６２ａの後端部に位置した場合に、左側操作部４５への開操作による左側第１ロッド４１の解除方向への変位を規制するように形成されている。
【０１０４】
この構成によれば、左側操作部４５への開操作と右側操作部５５への開操作とが同時に行われることを防止して、蓋体２０が左側開状態になると共に右側開状態になるのを防止することができる。
【０１０５】
更に、両開き収納装置１において、左側ピン挿入孔６２は、係合ピン４１ｃが前後方向に左側第１ロッド４１の変位分だけ相対変位できるように前後方向に延びる長孔部６２ａを有している。右側ピン挿入孔６３は、係合ピン５１ｃが前後方向に相対変位できないように前後方向に係合ピン５１ｃの外径分だけ空いた孔部６３ａを有している。この構成によれば、左側操作部４５への開操作と右側操作部５５への開操作とが同時に行われることを防止するうえで、両者の開操作時の間でリテーナ６０の動きを変えつつリテーナ６０に対する左側第１ロッド４１の変位の共通化を図ることができるので、構成のコンパクト化を図ることができる。
【０１０６】
尚、上記の実施形態においては、左側第１ロッド４１及び左側第２ロッド４２が特許請求の範囲に記載した「第１ロッド」に、右側第１ロッド５１及び右側第２ロッド５２が特許請求の範囲に記載した「第２ロッド」に、係合孔１４Ｌ，１３Ｌが特許請求の範囲に記載した「第１係合孔」に、係合孔１４Ｒ，３２ａが特許請求の範囲に記載した「第２係合孔」に、左側ロッド付勢部材４４が特許請求の範囲に記載した「第１付勢部材」に、右側ロッド付勢部材５４が特許請求の範囲に記載した「第２付勢部材」に、左側操作部４５が特許請求の範囲に記載した「第１操作部」に、右側操作部５５が特許請求の範囲に記載した「第２操作部」に、左側ストッパ８０が特許請求の範囲に記載した「第１ストッパ」に、右側ストッパ９０が特許請求の範囲に記載した「第２ストッパ」に、スプリング部材１００が特許請求の範囲に記載した「スプリング部材」に、回動規制部８４が特許請求の範囲に記載した「第１回動規制部」に、変位規制部８５が特許請求の範囲に記載した「第１変位規制部」に、回動規制部９４が特許請求の範囲に記載した「第２回動規制部」に、変位規制部９５が特許請求の範囲に記載した「第２変位規制部」に、係合ピン４１ｃが特許請求の範囲に記載した「第１ピン」に、左側ピン挿入孔６２が特許請求の範囲に記載した「第１ピン挿入孔」に、係合ピン５１ｃが特許請求の範囲に記載した「第２ピン」に、右側ピン挿入孔６３が特許請求の範囲に記載した「第２ピン挿入孔」に、それぞれ相当している。
【０１０７】
ところで、上記の実施形態においては、リテーナ６０にピン挿入孔６２，６３を設けると共に、ロッド４１，５１に、そのピン挿入孔６２，６３に係合される係合ピン４１ｃ，５１ｃを設けることとした。しかし、本発明はこれに限定されるものではなく、逆に、ロッド４１，５１にピン挿入孔を設けると共に、リテーナ６０に、そのピン挿入孔に係合される係合ピンを設けることとしてもよい。
【０１０８】
尚、本発明は、上述した実施形態に限定されるものではなく、本発明の趣旨を逸脱しない範囲で種々の変更を施すことが可能である。
【符号の説明】
【０１０９】
１：両開き収納装置、１０：ボックス本体、１１：開口、１２：収容部、１３Ｌ，１４Ｌ，１４Ｒ，３２ａ：係合孔、２０：蓋体、２１：下部蓋材、２３：支持軸、３０：開閉機構、３１：アームユニット、３２：アーム部材、３９：誤作動防止装置、４０：左側ロック装置、４１：左側第１ロッド、４１ｂ，５１ｂ：係合部、４１ｃ，５１ｃ：係合ピン、４４：左側ロッド付勢部材、４５：左側操作部、５０：右側ロック装置、５１：右側第１ロッド、５４：右側ロッド付勢部材、５５：右側操作部、６０：リテーナ、６２：左側ピン挿入孔、６２ａ：長孔部、６３：右側ピン挿入孔、６３ａ：孔部、７０：ベース部材、７１，７２：軸孔、８０：左側ストッパ、８２，９２：軸部、８４，９４：回動規制部、８５，９５：変位規制部、９０：右側ストッパ、１００：スプリング部材。
【図１】
2019077404.tif 000003
【図２】
2019077404.tif 000004
【図３】
2019077404.tif 000005
【図４】
2019077404.tif 000006
【図５】
2019077404.tif 000007
【図６】
2019077404.tif 000008
【図７】
2019077404.tif 000009
【図８】
2019077404.tif 000010
【図９】
2019077404.tif 000011
【図１０】
2019077404.tif 000012
【図１１】
2019077404.tif 000013
【図１２】
2019077404.tif 000014
【図１３】
2019077404.tif 000015
【図１４】
2019077404.tif 000016
【図１５】
2019077404.tif 000017
【図１６】
2019077404.tif 000018
【図１７】
2019077404.tif 000019